(57)【要約】【課題】携帯電話やＰＨＳなどの移動端末とインターホン親機との間で、通話や電気錠などによるデータの送受を行えるようにする。【解決手段】住居の玄関に設置されている玄関子機２から訪問者がインターホン親機１を呼び出し、玄関子機２とインターホン親機１間で通話するインターホン装置であって、インターホン親機１は、玄関子機２から訪問者がインターホン親機１を呼び出したときＰＨＳカード１４Ａから移動端末７を呼び出すカードスロット１４Ｂと、玄関子機２と移動端末７が通話状態になった後、移動端末７のボタン操作によりＰＢ信号が入力されるＰＢ信号解析回路１５とを有し、電気錠３の解錠信号がＰＢ信号解析回路１５に入力されたとき解錠信号を送信し、錠３１を解錠する電気錠制御装置３２を備えている。【選択図】図１
2004260735.tif 000002
【特許請求の範囲】
【請求項１】
住居の玄関に設置されている玄関子機（２）から訪問者がインターホン親機（１）を呼び出し、前記玄関子機と前記インターホン親機間で通話するインターホン装置であって、
前記インターホン親機は、前記玄関子機から前記訪問者が前記インターホン親機を呼び出したときＰＨＳカード（１４Ａ）から移動端末（７）を呼び出すカードスロット（１４Ｂ）と、前記玄関子機と前記移動端末が通話状態になった後、前記移動端末のボタン操作によりＰＢ信号が入力されるＰＢ信号解析回路（１５）とを有し、
電気錠（３）の解錠信号が前記ＰＢ信号解析回路に入力されたとき前記解錠信号を送信し、錠（３１）を解錠する電気錠制御装置（３２）を備えたことを特徴とするインターホン装置。
【請求項２】
前記移動端末からの前記電気錠の状態要求に応じて前記ＰＨＳカードと通信状態にし、前記インターホン親機に接続されている前記電気錠の状態を取得し、前記移動端末のブラウザに前記電気錠の状態を表示するためのサーバ（８１）を設けたことを特徴とする請求項１記載のインターホン装置。
【請求項３】
前記サーバは、前記移動端末のブラウザ上で前記電気錠の状態が解錠表示されているとき前記移動端末により操作され、前記ＰＨＳカードと通信状態にし、前記インターホン親機に接続されている前記電気錠の前記錠を施錠するものであることを特徴とする請求項２記載のインターホン装置。
【請求項４】
前記インターホン親機にセキュリティセンサ（４）を接続し、前記移動端末のメールアドレスが前記サーバに登録されている状態で、前記セキュリティセンサに反応があった場合、前記ＰＨＳカードにより通信接続され、前記インターホン親機から前記サーバに前記センサに反応があったことを通知し、前記サーバが前記移動端末にセンサに反応があった旨のメールを送信するインターネットサービスプロバイダー（８３）を設けることを特徴とする請求項２記載のインターホン装置。
【発明の詳細な説明】
【０００１】
【発明の属する技術分野】
本発明はインターホン装置に係り、特に移動端末を用いてインターホン親機に接続されている電気錠制御装置を制御し、電気錠の解錠と施錠ができ、且つ電気錠の状態を確認することができるインターホン装置に関する。
【０００２】
【従来の技術】
従来から、電気錠の解錠・施錠をインターホン親機から制御できるインターホン装置が知られている（例えば、特許文献１参照）。
【０００３】
このインターホン装置は図２に示すように、戸外に設置される玄関子機１２０と、室内に設置され玄関ドアに設けられた電気錠１３０を解錠・施錠する解錠ボタン１１１を有するインターホン親機１１０とから構成され、インターホン親機１１０、電気錠１３０間にはインターホン親機１１０のＣＰＵ１１２からの解錠要求に対して電気錠１３０を解錠する電気錠アダプタ１４０を備えている。なお、このようなインターホン装置には、さらに、訪問者を検知するセンサ１５０がインターホン親機１１０に接続されているものも知られている。
【０００４】
このようなインターホン装置は、訪問者による玄関子機１２０からの呼出しに対して居住者がインターホン親機１１０で応答すると、玄関子機１２０とインターホン親機１１０とが通話状態になる。この時、居住者がインターホン親機１１０の解錠ボタン１１１で解錠操作すると、解錠要求があったことをＣＰＵ１１２が判定し、電気錠アダプタ１４０に解錠を要求するので、電気錠アダプタ１４０は電気錠１３０を解錠する。また、このインターホン装置は、センサ１５０が訪問者を検知すると、インターホン親機１１０のＣＰＵ１１２がそのことを判定し、当該インターホン親機１１０のスピーカ（図示せず）にて報知させる。
【０００５】
【特許文献１】実公平８−２３４０号公報  （第２−３頁、第１図、第２図）。
【０００６】
【発明が解決しようとする課題】
しかしながら、このような従来のインターホン装置では、電気錠１３０の解錠・施錠をインターホン親機１１０のみでしか制御ができず、また、センサ１５０が訪問者を検知したときにもインターホン親機１１０のみでしか確認ができなかった。
【０００７】
本発明は、このような従来の難点を解決するためになされたもので、携帯電話やＰＨＳなどの移動端末とインターホン親機との間で、通話と共に当該インターホン親機に接続されている電気錠、セキュリティセンサのデータ送受を行うことができるインターホン装置を提供することを目的とする。
【０００８】
【課題を解決するための手段】
上記目的を達成する本発明によるインターホン装置は、住居の玄関に設置されている玄関子機から訪問者がインターホン親機を呼び出し、玄関子機とインターホン親機間で通話するものである。
【０００９】
このインターホン装置のインターホン親機は、玄関子機から訪問者がインターホン親機を呼び出したときＰＨＳカードから移動端末を呼び出すカードスロットと、玄関子機と移動端末が通話状態になった後、移動端末のボタン操作によりＰＢ信号が入力されるＰＢ信号解析回路とを有し、電気錠の解錠信号がＰＢ信号解析回路に入力されたとき解錠信号を送信し、錠を解錠する電気錠制御装置を備えたものである。
【００１０】
このようなインターホン装置によれば、住居の玄関に設置されている玄関子機から訪問者がインターホン親機を呼び出すと、このインターホン親機のカードスロットに収容されるＰＨＳカードが、居住者が携帯する移動端末を呼び出すことができるので、玄関子機、移動端末間で通話することができ、また、この際、移動端末で電気錠を解錠するボタン操作によりそのＰＢ信号がＰＨＳカードを介してインターホン親機のＰＢ信号解析回路に入力されることから、ＰＢ信号解析回路はこのＰＢ信号に基づき解錠信号を電気錠制御装置に送信するので、電気錠制御装置は錠を解錠する。即ち、居住者が外出していても、移動端末で玄関子機前の訪問者と通話している時に、移動端末のボタン操作によりインターホン親機に接続された電気錠の錠を解錠することができる。
【００１１】
また、本発明のインターホン装置において、移動端末からの電気錠の状態要求に応じてＰＨＳカードと通信状態にし、インターホン親機に接続されている電気錠の状態を取得し、移動端末のブラウザに電気錠の状態を表示するためのサーバを設けたものである。このサーバは、携帯電話のブラウザ上で電気錠の状態が解錠表示されているとき移動端末により操作され、ＰＨＳカードと通信状態にし、インターホン親機に接続されている電気錠の錠を施錠するものである。また、インターホン親機にセキュリティセンサを接続し、移動端末のメールアドレスがサーバに登録されている状態で、セキュリティセンサに反応があった場合、ＰＨＳカードにより通信接続され、インターホン親機からサーバにセンサに反応があったことを通知し、サーバが移動端末にセンサに反応があった旨のメールを送信するインターネットサービスプロバイダーを設けるものである。
【００１２】
このようなインターホン装置によれば、外出中の居住者が移動端末で電気錠の状態要求を行うと、サーバが移動端末とＰＨＳカードとを通信状態にし、インターホン親機に接続されている電気錠の状態を取得して、携帯電話のブラウザに表示させることができる。また、外出中の居住者が移動端末で電気錠の状態要求を行った際、サーバが移動端末とＰＨＳカードとを通信状態にするので、移動端末のブラウザ上に電気錠の状態が解錠表示されている場合には、移動端末で電気錠の錠を施錠する操作を行うと電気錠の錠を施錠することができる。また、インターホン親機にセキュリティーセンサが接続されている場合において、セキュリティセンサに反応があるとインターホン親機がＰＨＳカードを介してサーバに通信接続し、セキュリティセンサに反応があったことを通知するので、サーバはそのセキュリティセンサに関係がある居住者のメールアドレスが登録されている携帯電話に対してセキュリティセンサに反応があった旨のメールを送信することができる。
【００１３】
【発明の実態の形態】
以下、本発明のインターホン装置における好ましい実施の形態例について図面を参照して詳述する。
【００１４】
本発明のインターホン装置は図１に示すように、住戸の玄関に設置され訪問者が居住者を呼出し通話するための玄関子機２と、玄関子機２と接続されて室内に設置され訪問者の呼出しに対して応答し通話するためのインターホン親機１とを備えている。また、このインターホン装置は、インターホン親機１に電気錠３とセンサ４とが接続されている。
【００１５】
玄関子機２は、訪問者が居住者を呼出すための呼出ボタン２１と、訪問者と通話するための子機マイク２２、子機スピーカ２３とを有している。
【００１６】
インターホン親機１は、玄関子機２の呼出ボタン２１による玄関呼出を検出する呼出検出回路１１と、センサ４が訪問者を検知して反応したことを検出するセンサ検出回路１２と、玄関子機２の子機スピーカ２３、子機マイク２２と通話を行うための通話回路１３と、玄関子機２から訪問者がインターホン親機１を呼び出したときＰＨＳ（Ｐｅｒｓｏｎａｌ  Ｈａｎｄｙｐｈｏｎｅ  Ｓｙｓｔｅｍ）カード１４Ａからブラウジング機能やメール機能等を持つ移動端末である携帯電話７を呼び出すカードスロット１４Ｂと、玄関子機２と携帯電話７が通話状態になった後、携帯電話７のボタン操作によりＰＢ信号が入力されるＰＢ信号解析回路１５と、これら構成要素を制御するＣＰＵ１６と、玄関子機２および電気錠３と信号の送受を行うと共にセンサ４からの信号を受信する子機インターフェース１７Ａ（以下、「子機ＩＦ１７Ａ」とする。）と、カードスロット１４Ｂと信号の送受を行うカードスロットインターフェース１７Ｂ（以下、「カードスロットＩＦ１７Ｂ」とする。）とを有している。なお、通話回路１３には親機スピーカ１８、親機マイク１９およびＰＢ信号解析回路１５の一端が接続されている。
【００１７】
このインターホン親機１は、呼出検出回路１１、センサ検出回路１２および通話回路１３の各一端が子機ＩＦ１７Ａに接続され、呼出検出回路１１、センサ検出回路１２およびＰＢ信号解析回路１５の各他端がＣＰＵ１６に接続され、通話回路１３の他端およびＣＰＵ１６がカードスロットＩＦ１７Ｂに接続され、さらに、子機ＩＦ１７ＡはＣＰＵ１６に、カードスロットＩＦ１７Ｂはカードスロット１４Ｂにそれぞれ接続されている。
【００１８】
このようなインターホン親機１のカードスロット１４Ｂに収容されるＰＨＳカード１４Ａは無線通信機能を有し、ＰＨＳカード１４Ａとの交換機を有するＰＨＳ網５に接続することができる。このＰＨＳ網５は、ＰＨＳカード１４Ａでのインターネット８２への接続を受け持つインターネットサービスプロバイダー８３に接続されると共に、携帯電話７と無線通信するための基地局７１が複数接続されている携帯電話網６にも接続されている。なお、基地局７１はインターネット８２に接続されている。また、インターネット８２には、携帯電話７のメールアドレスが登録されるサーバ８１が接続されている。
【００１９】
サーバ８１は、携帯電話７のボタン操作による電気錠３の状態取得要求に応じてＰＨＳカード１４Ａと通信状態にし、インターホン親機１に接続されている電気錠３の状態を取得し、携帯電話７のブラウザに電気錠３の状態を表示する機能を有している。また、サーバ８１は、携帯電話７のブラウザ上で電気錠３の状態が解錠表示されているとき携帯電話７のボタン操作による電気錠３の施錠要求によりＰＨＳカード１４Ａと通信状態になると、インターホン親機１に接続されている電気錠３の錠３１を施錠する機能を有している。
【００２０】
インターネットサービスプロバイダー８３は、センサ４が訪問者を検知して反応があるとインターホン親機１のＰＨＳカード１４Ａにより通信接続され、インターホン親機１からサーバ８１にセキュリティセンサ４に反応があったことを通知し、サーバ８１が携帯電話７にセキュリティセンサ４に反応があった旨のメールを送信する機能を有している。
【００２１】
このように構成されたインターホン装置において、訪問者が玄関子機２の呼出ボタン２１を押下すると、インターホン親機１の呼出検出回路１１がこの子機呼出を検出しＣＰＵ１６に呼出信号を出力する。この呼出信号に基づきＣＰＵ１６は親機スピーカ１８から呼出音を報音させる。この際、インターホン親機１が例えば転送モードに設定されていると、ＣＰＵ１６はこの呼出信号に基づきカードスロット１４Ｂに収容されているＰＨＳカード１４Ａを通話状態にし、呼出信号をカードスロットＩＦ１７Ｂを介してカードスロット１４Ｂに収容されているＰＨＳカード１４Ａに出力する。ＰＨＳカード１４Ａは呼出信号を無線通信でＰＨＳ網５に伝送するので、呼出信号はＰＨＳ網５から携帯電話網６を介して各基地局７１に伝送される。これにより、訪問者が呼び出したインターホン親機１が設置された住居の居住者が携帯する携帯電話７に、最寄りの基地局７１から呼出信号が無線送信されるので、その居住者は住居に訪問者があることを確認できる。
【００２２】
居住者は、携帯電話７で住居に訪問者があることを確認後、玄関子機２からの呼び出しに応答するために、携帯電話７をボタン操作して玄関子機２と通話状態にして携帯電話７のマイク（図示せず）で送話を行うと、送話信号が最寄りの基地局７１→携帯電話網６→ＰＨＳ網５を介してインターホン親機１のＰＨＳカード１４Ａに伝送される。ＰＨＳカード１４Ａに受信された送話信号は、カードスロットＩＦ１７Ｂ→通話回路１３→子機ＩＦ１７Ａを介して玄関子機２に伝送されるので、玄関子機２の子機スピーカ２３で携帯電話７からの送話を確認できる。また、訪問者が玄関子機２の子機マイク２２から送話を行うと、送話信号がインターホン親機１→ＰＨＳ網５→携帯電話網６→基地局７１を介して携帯電話７に伝送されるので、当該居住者は携帯電話７のスピーカ（図示せず）で玄関子機２からの送話を確認できる。
【００２３】
この際、当該居住者が訪問者を住居内に招き入れるために、携帯電話７のボタン操作により電気錠３を解錠するＰＢ信号を入力すると、そのＰＢ信号が最寄りの基地局７１→携帯電話網６→ＰＨＳ網５を介してインターホン親機１のＰＨＳカード１４Ａに伝送される。ＰＨＳカード１４Ａに受信されたＰＢ信号は、カードスロットＩＦ１７Ｂから通話回路１３に出力され、そのＰＢ信号は通話回路１３からＰＢ信号解析回路１５に出力される。ＰＢ信号解析回路１５は、入力したＰＢ信号に基づき解錠信号をＣＰＵ１６→子機ＩＦ１７Ａを介して電気錠３の電気錠制御装置３２に送信するので、電気錠制御装置３２は錠３１を解錠する。
【００２４】
このように、携帯電話７で玄関子機２の訪問者と通話している時に、携帯電話７のボタン操作によりインターホン親機１に接続された電気錠３の錠３１を解錠させることができる。
【００２５】
また、外出中の居住者が携帯電話７で電気錠３の状態取得要求のためのボタン操作を行うと、その状態取得要求信号は最寄りの基地局７１に無線送信され、その基地局７１は状態取得要求信号なのでインターネット８２を介してサーバ８１に伝送する。サーバ８１は、この状態取得要求信号に基づきインターホン親機１のＰＨＳカード１４Ａと通信状態にする。この通信路が形成されると、サーバ８１は、状態取得要求信号を、インターネット８２→インターネットサービスプロバイダー８３→ＰＨＳ網５を介してＰＨＳカード１４Ａに伝送する。ＰＨＳカード１４Ａに受信された状態取得要求信号は、カードスロットＩＦ１７ＢからＣＰＵ１６に出力され、その状態取得要求信号はＣＰＵ１６から子機ＩＦ１７Ａを介して電気錠３の電気錠制御装置３２に送信するので、電気錠制御装置３２は錠３１の状態を示す電気錠状態信号を子機ＩＦ１７Ａを介してＣＰＵ１６に出力する。
【００２６】
ＣＰＵ１６に入力した電気錠状態信号は、ＣＰＵ１６からカードスロットＩＦ１７Ｂ→カードスロット１４Ｂ→ＰＨＳカード１４Ａ→ＰＨＳ網５→インターネットサービスプロバイダー８３→インターネット８２を介してサーバ８１に伝送される。サーバ８１はこの解錠状態信号を取得したことをインターネット８２→基地局７１を介して携帯電話７に伝送するので、外出中の居住者はこのサーバ８１からの電気錠３に関する取得情報を確認後、携帯電話７のボタン操作によってサーバ８１に再度アクセスして、電気錠３の状態をブラウザを用いて確認できる。
【００２７】
この電気錠３が解錠状態である場合には、施錠するために外出中の居住者が携帯電話７のブラウザを用いて電気錠３を施錠するためのボタン操作を行うと、その施錠要求信号は最寄りの基地局７１に無線送信され、その基地局７１は施錠要求信号なのでインターネット８２を介してサーバ８１に伝送する。サーバ８１は、この施錠要求信号に基づき施錠信号をインターネット８２→インターネットサービスプロバイダー８３→ＰＨＳ網５を介してインターホン親機１のＰＨＳカード１４Ａに伝送する。ＰＨＳカード１４Ａに受信された施錠信号は、カードスロットＩＦ１７ＢからＣＰＵ１６→子機ＩＦ１７Ａを介して電気錠３の電気錠制御装置３２に送信されるので、電気錠制御装置３２は錠３１を施錠する。
【００２８】
さらに、このインターホン装置は、セキュリティセンサ４が訪問者を検知すると、インターホン親機１に対して検知信号を送信する。この検知信号は子機ＩＦ１７Ａを介してセンサ検出回路１２に入力され、センサ検出回路１２はセキュリティセンサ４に反応があった旨の信号をＣＰＵ１６に出力する。ＣＰＵ１６はこの信号に基づきセンサ検出信号を生成するので、このセンサ検出信号が、カードスロットＩＦ１７Ｂ→カードスロット１４Ｂ→ＰＨＳカード１４Ａ→ＰＨＳ網５→インターネットサービスプロバイダー８３→インターネット８２を介してサーバ８１に伝送される。サーバ８１はこのセンサ検出信号を取得後、セキュリティセンサ４に反応があった住居の居住者が携帯する携帯電話７のメールアドレスに対してセキュリティセンサ４に反応があった旨のメールを、インターネット８２→基地局７１を介して送信するので、外出中の居住者は携帯電話７で訪問者があったことを確認できる。
【００２９】
なお、上述した本発明の実施の一形態においては、インターホン親機１と携帯電話７との通話路がＰＨＳカード１４Ａ→ＰＨＳ網５→携帯電話網６→基地局７１→携帯電話７になっていたが、これに限らず、ＰＨＳカード→ＰＨＳ網→基地局→移動端末でもよい。
【００３０】
【発明の効果】
以上の説明から明らかなように、本発明のインターホン装置によれば、携帯電話やＰＨＳなどの移動端末で、インターホン親機に接続された電気錠を解錠・施錠したり、この電気錠の状態を表示したりすることができ、また、インターホン親機に接続されたセキュリティセンサに反応があった旨のメールを移動端末に送信することができるようになる。
【図面の簡単な説明】
【図１】本発明のインターホン装置による好ましい実施の形態例を示すブロック図。
【図２】従来のインターホン装置を示すブロック図。
【符号の説明】
１・・・・・インターホン親機
２・・・・・玄関子機
３・・・・・電気錠
４・・・・・セキュリティセンサ
７・・・・・携帯電話
１４Ａ・・・・・ＰＨＳカード
１４Ｂ・・・・・カードスロット
１５・・・・・ＰＢ信号解析回路
３１・・・・・錠
３２・・・・・電気錠制御装置
８１・・・・・サーバ
８３・・・・・インターネットサービスプロバイダー
【図１】
2004260735.tif 000003
【図２】
2004260735.tif 000004